(57)【要約】    【課題】  表示部、操作部、制御部等の機能ユニットの占有空間の狭小化を図り、電子機器の実装効率の向上を図る。    【解決手段】  表示部等の機能ユニットがラック１４に実装される電子機器に於いて、前記表示部をパネル型表示装置１９で構成し、該表示装置の背後に空間を形成し、前記表示部を前記ラックに対して開閉可能とすると共に前記空間に他の機能ユニットを実装可能とした。    【選択図】          図１
2008060229.tif 000002
【特許請求の範囲】
【請求項１】
表示部等の機能ユニットがラックに実装される電子機器に於いて、前記表示部をパネル型表示装置で構成し、該表示装置の背後に空間を形成し、前記表示部を前記ラックに対して開閉可能とすると共に前記空間に他の機能ユニットを実装可能としたことを特徴とする電子機器。
【発明の詳細な説明】
【技術分野】
【０００１】
本発明は、大型の電子機器、特に床設置型の電子機器に関するものである。
【背景技術】
【０００２】
大型の電子機器として通信装置、試験装置等があり、電子機器の１つである通信装置が、通信システムの通信基地局として設置される場合、建屋内に設置されることで固定基地局として機能し、自動車に搭載されることで移動基地局として機能する。
【０００３】
図６は、従来の床設置型の電子機器を示している。
【０００４】
電子機器１は、概略、アングル等の構造部材により枠体に形成されたラック２と、表示部３、電源部、増幅部、無線通信部等の機能ユニットとから構成され、機能ユニットは前記ラック２に上下方向に複数段実装される構造となっている。
【０００５】
図６は、実装される一部の機能ユニットを省略して示しており、図示では最上段に前記表示部３、２段目に操作部４、３段目に制御部５が実装された状態を示している。
【０００６】
前記表示部３は表示装置としてＣＲＴ６を具備し、該ＣＲＴ６は補助筐体７に収納され、該補助筐体７を介して前記ラック２に取付けられている。
【０００７】
前記操作部４は、キーボード８、テンキー９等を有し、該キーボード８、テンキー９等は引出し１０に収納され、該引出し１０はスライドレール（図示せず）を介して補助筐体１１に装入、引出し可能に取付けられ、該補助筐体１１は前記ラック２に取付けられている。
【０００８】
更に、前記制御部５は制御装置として例えば、ＰＣの本体（以下ＰＣ本体）１２は補助筐体１３に収納され、該補助筐体１３が前記ラック２に取付けられている。
【０００９】
従来の電子機器１では、前記表示部３、前記操作部４、前記制御部５はそれぞれ前記ラック２の各段を占有し、他の機能ユニットは前記表示部３、前記操作部４、前記制御部５が占有する段以外の空間（収納段）に実装される構造となっている。
【００１０】
尚、ＣＲＴ６が実装された床設置型の電子機器を示す従来例として特許文献１に示されるものがある。
【００１１】
【特許文献１】特開２００４−２００４９２号公報
【発明の開示】
【発明が解決しようとする課題】
【００１２】
本発明は斯かる実情に鑑み、表示部、操作部、制御部等の機能ユニットの占有空間の狭小化を図り、電子機器の実装効率の向上を図るものである。
【課題を解決するための手段】
【００１３】
本発明は、表示部等の機能ユニットがラックに実装される電子機器に於いて、前記表示部をパネル型表示装置で構成し、該表示装置の背後に空間を形成し、前記表示部を前記ラックに対して開閉可能とすると共に前記空間に他の機能ユニットを実装可能とした電子機器に係るものである。
【発明の効果】
【００１４】
本発明によれば、表示部等の機能ユニットがラックに実装される電子機器に於いて、前記表示部をパネル型表示装置で構成し、該表示装置の背後に空間を形成し、前記表示部を前記ラックに対して開閉可能とすると共に前記空間に他の機能ユニットを実装可能としたので、前記表示装置の背後に形成される空間を有効に利用でき、電子機器の実装効率が向上し、又前記表示装置が開閉可能であるので、前記空間に実装した他の機能ユニットに対する作業性が損われることがないという優れた効果を発揮する。
【発明を実施するための最良の形態】
【００１５】
以下、図面を参照しつつ本発明を実施する為の最良の形態を説明する。
【００１６】
図１〜図５に於いて本発明に係る電子機器１について説明する。尚、該電子機器１は、車両に搭載される場合を例示している。又、図１中、図６中で示したものと同等のものには同符号を付してある。
【００１７】
図中、１４はラックを示し、該ラック１４はアングル１５等の構造部材により縦長直方形状の枠体に形成され、前記ラック１４は、ゴム等の吸振材を有する防振器１６を介して設置されている。前記ラック１４の側面には側面パネル１７が取付けられる。
【００１８】
本発明では、表示装置として、パネル型表示装置、例えば液晶表示装置１９が使用される。又、該液晶表示装置１９、ＰＣ本体１２、キーボード８、テンキー９等、ＰＣを構成する装置を１つの筐体２１に収納し、該筐体２１を前記ラック１４に取付ける構造としている。
【００１９】
以下、具体的に説明する。
【００２０】
前記筐体２１は、左右の側板２２，２２、底板２３、棚板２４等によって前後が開放された箱状に形成され、前記筐体２１は左右のスライドレール２５，２５を介して前記ラック１４に装入、引出し可能に取付けられている。
【００２１】
前記側板２２の前端部は外側に向って直角に屈曲され、フランジ部２６が形成され、該フランジ部２６が前側に位置する前記アングル１５に固定螺子等の固着具２０によって着脱可能に固定されている。又、前記フランジ部２６には引出し用の取手２７が取付けられている。
【００２２】
一方の前記側板２２、例えば図２に於いて左側板２２には、蝶番２８を介して前パネル２９が開閉可能に設けられ、該前パネル２９と前記側板２２間には２節リンク構造のステー３０が取付けられ、前記前パネル２９の開放時の開き角を規制している。該前パネル２９はローレット螺子、抜止め螺子等、容易に着脱可能な固定螺子３１によって右側板２２に固定可能となっている。
【００２３】
前記前パネル２９は中央部が開口している額形状となっており、該前パネル２９には前記液晶表示装置１９が嵌込まれ、該液晶表示装置１９はフランジ部材３２を介し螺子等の固着具によって前記前パネル２９に固定される様になっている。
【００２４】
前記筐体２１の前記液晶表示装置１９の背後には空間３３が形成され、該空間３３には上下２段に２台のＰＣ本体１２，１２が収納される。下段のＰＣ本体１２は前記棚板２４に載置され、上段のＰＣ本体１２は下段のＰＣ本体１２の上側に配設される。上下のＰＣ本体１２，１２は、固定部材３４によって前記筐体２１に固定され、前記棚板２４と下段のＰＣ本体１２との間、上下のＰＣ本体１２，１２間、上段のＰＣ本体１２の上面にはそれぞ防振部材３５が介設される。尚、２台の前記ＰＣ本体１２の１つはバックアップ用として設けられる。
【００２５】
前記筐体２１の前記棚板２４の下側には、引出し１０が配置され、該引出し１０はスライドレール３６を介して前記筐体２１に装入、引出し可能に取付けられる。前記引出し１０の前端部は外側に屈曲され、前端部によりフランジ３７が形成され、前記引出し１０は前記フランジ３７を介して前記筐体２１にローレット螺子、抜止め螺子等容易に着脱可能な固定螺子３８により固定される。前記棚板２４には前記キーボード８、前記テンキー９が収納される。
【００２６】
前記固定螺子３１を前記右側板２２から外し、前記前パネル２９を前記蝶番２８を中心に回転させることで、前記液晶表示装置１９が前記前パネル２９と一体に回転し、前記筐体２１の前面が開放される。又、前記前パネル２９は前記ステー３０によって９０°回転した位置に規制される。
【００２７】
従って、前記ＰＣ本体１２への操作、例えば該ＰＣ本体１２の電源スイッチの操作が可能となる。
【００２８】
又、前記固定螺子３８を前記筐体２１から外すことで、前記引出し１０が前記スライドレール３６によって引出せ、又該スライドレール３６によって引出された前記引出し１０が支持される。該引出し１０が引出されることで、前記キーボード８、前記テンキー９への操作が可能となる。
【００２９】
更に、前記ＰＣ本体１２、或は前記筐体２１の奥部（装置の後部）に配設された機器に対し保守等の作業が必要な場合は、前記固着具２０を前記ラック１４から取外すことで、前記筐体２１が前記スライドレール２５を介して引出すことができる。又、前記筐体２１の引出し状態は前記スライドレール２５によって支持されるので、前記ＰＣ本体１２等に対し、前記電子機器１の前面側からの作業が可能となる。従って、保守性に優れると共に該電子機器１を設置する場合に該電子機器１の側方に作業用の空間を確保する必要がなく、該電子機器１の設置スペースが小さくて済む。
【００３０】
上述した様に、前記液晶表示装置１９の背後に前記空間３３が形成され、該空間３３に前記ＰＣ本体１２を収納することで、該ＰＣ本体１２の為の収納段が必要なくなり、前記ラック１４の空いた収納段には別の機能ユニットの実装が可能となり、前記ラック１４の実装効率、即ち前記電子機器１の実装効率が向上する。又、前記液晶表示装置１９は前記ラック１４に対して開放可能であるので、前記空間３３に実装された前記ＰＣ本体１２に対する作業性を損うことがない。
【００３１】
更に、前記電子機器１が車両に搭載される場合は、前記防振器１６、前記防振部材３５によって実装される機能ユニットへの振動の伝達が抑制されるので、振動による機器への損傷が防止でき、特にハードディスク等壊れやすい部品を収納するＰＣ本体１２は前記防振部材３５によっても振動が防止される。又、バックアップ用のＰＣ本体１２を搭載可能であるので、使用中のＰＣ本体１２等に障害が発生した場合にも、電子機器としての機能を停止させることなく、直ちに対応が可能であり、電子機器の信頼性が向上する。
【００３２】
尚、本発明は、自動車に搭載される場合に限らず、建屋内に設置される場合にも実施可能であり、建屋内に設置される場合には、前記防振器１６、前記防振部材３５を省略することができる。
【００３３】
又、前記液晶表示装置１９は前記筐体２１に開閉可能に設けたが、前記ラック１４に直接開閉可能に設けてもよい。又、前記引出し１０は前記ラック１４に直接スライドレール３６を介して取付けられてもよい。又、前記液晶表示装置１９の背後に形成される空間３３には、前記ＰＣ本体１２以外の機能ユニットを収納する様にしてもよい。
【図面の簡単な説明】
【００３４】
【図１】本発明の実施の形態に係る電子機器を示す正面図である。
【図２】図１のＡ−Ａ矢視図である。
【図３】本発明の実施の形態に係る電子機器の要部を示す正面図である。
【図４】本発明の実施の形態に係る電子機器の要部を示す側面図である。
【図５】本発明の実施の形態に係る電子機器の要部を示し、液晶表示装置を取外した状態の正面図である。
【図６】従来の電子機器を示す正面図である。
【符号の説明】
【００３５】
１              電子機器
８              キーボード
９              テンキー
１０            引出し
１２            ＰＣ本体
１９            液晶表示装置
２１            筐体
２５            スライドレール
２８            蝶番
２９            前パネル
３６            スライドレール
【図１】
2008060229.tif 000003
【図２】
2008060229.tif 000004
【図３】
2008060229.tif 000005
【図４】
2008060229.tif 000006
【図５】
2008060229.tif 000007
【図６】
2008060229.tif 000008